(57)【要約】      （修正有）【課題】シートの中央部にあらかじめ機械的に緩みを持たせる被覆手段を提供して作物へのストレス解消と被覆作業の省力化を課題とする被覆装置を提供する。【解決手段】装置の前面と側面に着脱可能な防風カバー２６を配設すると共に、シートが風によって飛散しない範囲の適量の土を両端裾部に筋状に被せる土寄せコルター２３を配設し、且つ被覆期間中の作物の成長を見込み、該シート中央部にあらかじめ緩みを持たせる中寄せ器具２２を配設して該シートの緊迫による作物へのストレスを解消できる構造と共に、運転者と補助員１名による省力化を実現する。  【選択図】図２
0003149243.tif 000002
【実用新案登録請求の範囲】
【請求項１】
不織布等農業用広幅ロールシートを圃場の畦列に被覆する際に、大敵である風対策として着脱可能な防風カバーを前面と側面に配設した広幅ロールシートの被覆装置。
【請求項２】
被覆後の該シートが風によって飛散しないように該シートの両端裾部に土を被せて埋め込むための溝を作る溝切りコルターと該シートの裾部を溝に押し込むための押え車輪と該溝切りコルターによって盛り上げられた土を埋め戻す際に該シートの裾部から畦列側に過分に土が被らないように該押え車輪の側部に当てて該押え車輪が通過直後に該シートの裾部に土が埋め戻されるように円盤コルターを配設した請求項１に記載する被覆装置。
【請求項３】
被覆期間中の作物の成長によって該シートが持ち上げられ緊張によって受ける作物へのストレスを緩和するために中寄せ器具を配設して、あらかじめ該シート中央部に緩み幅をもたせて被覆することを特徴とした請求項１に記載する被覆装置。
【考案の詳細な説明】
【技術分野】
【０００１】
本考案は、従来春先の風に影響されながら多くの作業員を投入して行われていた不織布等農業用広幅ロールシート（以下シートと呼称）の圃場への被覆作業を、トラクター運転者と補助員１名の最少人員で遂行可能な装置の提供に関するものである。
【背景技術】
【０００２】
該シートは、１枚当り長さ２００ｍ、幅１８００ｍｍ〜３６００ｍｍの範囲でロール状に巻かれた物が一般的に利用されている。普及しているマルチャーと呼ばれる被覆装置は、シート幅が１８００ｍｍ以内のビニールシートを対象としたものが多く不織布の２７００ｍｍ〜３６００ｍｍを対象にした広幅処理の装置は少なく、多くは春先の風に悩まされながら人手を掛けて被覆し、両端裾部を専用のピンなどで押える方法が採用されている。しかしながら、該シートを押えるピンの差し込み作業は機械化されておらず、農家の女性作業員がピンを一本づつ腰をかがめて手先で挿入する作業姿勢は非常に厳しく難儀である。また初期の被覆状態から作物が成長すると両端裾部をピンで固定されている該シートは持ち上げられ緊張して作物にストレスを与えるため押えピンを差し替えて該シートを緩める作業が繰り返して行われる。このことにより該シートの両端裾部の損傷も進み耐用期間を短くしている。
【考案の開示】
【考案が解決しようとする課題】
【０００３】
本考案は、圃場に多少の風が吹いていても作業が遂行できる防風カバーを装置の前面と側面に配設すること、人手不足を解消するために該シート両端裾部の押えを専用ピンから機械的に適量の土を筋状に被せること、被覆期間中の作物が成長する過程で該シートを持ち上げ該シートの緊張によって作物が受けるストレスを解消するために該シートの中央部にあらかじめ機械的に緩みを持たせる被覆方法を提供して作物へのストレス解消と被覆作業の省力化を課題とする。
【０００４】
また、該シートの両端裾部の押さえを専用ピンによる固定から適量の土を筋状に被せることによって作物の成長が進み、あらかじめ緩みを持たせた範囲を超えて該シートが緊張してきた場合でも該シートの両端裾部に被せた土から該シートの裾部が徐々に引き出されることによって緊張が緩和されると共に両端裾部の破損減少による耐用期間の延長を可能とする。
【課題を解決するための手段】
【０００５】
本考案装置は、三点支持によるトラクター装着型であって圃場に下ろした後は２個の前部動輪と２個の後部シート押え車輪により機体を保持して該トラクターが牽引する形で一連の作業が進行する。また、作業の最も大きな障害になる風対策に装置本体前面と側面に着脱可能な防風カバーを配設した構造とする。
【０００６】
ロール状の該シートを装着して被覆までの一連の準備作業を円滑に行うために、圃場を往復する必要量を載置する台と被覆する該シートを装着する際の架台と該架台に接続して固定されている受けピンに該ロールシートの一方の芯を差し込んだ後、もう一方の側の芯に差し込む可動受けピンを配設した構造とする。
【０００７】
該シートの幅を、畦列に被覆する際の所定の幅に縮小して合わせる幅寄せローラと接地面に近づける押えローラ及び該シートの両端裾部を埋め込むための溝を作る溝切りコルターと該シートの裾部を溝に押し込む押え車輪と溝切りコルターによって盛られた土を押え車輪の側部に当てて該シート裾部と畦列側に過剰に土が被らない様にする土戻しコルターと該シートの中央部に必要な緩みを確保するための中寄せ器具と緩み幅を調節する幅寄せ調整金具を配設した構造とする。
【考案の効果】
【０００８】
以上の通り、圃場において風の影響を受けずに作業すべき適期に該シートの被覆と両端裾部を押える土戻し及び作物の成長過程で該シートの緊迫によるストレスを解消するための緩みを持たせた被覆が並行して遂行されることから、本考案装置により作業の省力化と作物へのストレス解消並びに該シート両端裾部の破損防止が期待出来る。
【考案を実施するための最良の形態】
【０００９】
【実施例】
【００１０】
以下、本考案の実施の形態を図1〜図２に基づいて符号を付して説明する。
【００１１】
図１においては、本考案による装置全体の構成即ち本体枠１に付属する前部動輪７と前面防風透明シート２５及びトラクターに装着するためのロアリンク取付部５とトップリンク取付部６、該本体枠１の両端から内側に差し込まれロールシート１１の幅と畦幅２７に合せてスライドして伸縮する本体スライド枠２と該本体スライド枠に支持される溝切りコルター１７と本体縦枠３と本体縦枠４及びロールシート支持架台１０と側面防風透明シート２６等の構成を示している。
【００１２】
図１において、２本の外側畦列２７と２本の内側畦列２８の４本に被覆される幅広長尺シートの中央部１５と該シートの両端裾部１６を示している。
【００１３】
図１において、本考案による装置のロアリンク取付部５とトップリンク取付部６にトラクター後部のロアリンク及びトップリンクを接続して装着する。
【００１４】
図２において、本考案による装置をトラクターに装着後圃場を往復するために必要な該シート１１をロールシート置き台９に載せる。
【００１５】
図１において、該シート１１をロールシート支持架台１０の先端にあるロールシート芯固定支持ピン１４から差込み、次にロールシート芯可動支持ピン１３の位置に合わせて外側からピンを押し込み該シートを装着する。
【００１６】
図１において、該シート１１を装着した後、本体縦枠３及び４に支持されている溝切りコルター１７、幅寄せローラ１８、押えローラ１９、幅寄せ調整金具２０、後部シート押え車輪８、土寄せコルター２３のそれぞれを被覆する畦列２７の外側で近接する箇所に該シートの端１６が埋め込まれるように本体スライド枠２を本体枠１の適切な位置に固定する。
【００１７】
図２において、該シート１１の先端を後方に引き出しながら該シートの中央部１５は中寄せ角２２の上を、両端裾部１６は幅寄せローラ１８の上から、押えローラ１９と幅寄せ調整金具２０及び押え車輪８の下側を通した後、先端部分に土を載せて又は専用ピンを差し込み固定する。
【００１８】
図２において、該シートの両端裾部１６が後部押え車輪８及び土戻しコルター２３により埋め込まれる際に該シート中央部１５側に寄り過ぎる場合或いは、中央部側への緩みが不足して該シート裾部１６に多く埋め込まれる場合は、溝切りコルター１７による溝の深さ調整と中寄せ器具２２の支持パイプ２１への取付間隔と取付角度及び幅寄せ調整金具２０の伸縮によって調整する。
【図面の簡単な説明】
【００１９】
以下、本考案による該シート被覆装置の図面について説明する。
【図１】本考案装置とシート被覆後の配置を表す平面図であって各部の記号を示す。
【図２】本装置の側面図であって各部の記号を示す。
【符号の説明】
【００２０】
１      本体枠
２      本体スライド枠
３      本体縦枠(右)
４      本体縦枠(左)
５      ロアリンク取付部
６      トップリンク取付部
７      前部動輪
８      後部シート押え車輪
９      ロールシート載置台
１０      ロールシート支持架台
１１      ロールシート
１２      ロールシート芯                          
１３      ロールシート芯支持可動ピン(右)
１４      ロールシート芯支持固定ピン(左)                          
１５      被覆シート中央部                
１６      被覆シート裾部              
１７      溝切りコルター                            
１８      幅寄せローラ
１９      押えローラ
２０      幅寄せ調整金具
２１      中寄せ器具支持パイプ
２２      中寄せ器具
２３      土戻しコルター
２４      三点支持枠
２５      前面防風透明シート
２６      側面防風透明シート
２７      外側作物畦
２８      内側作物畦
２９      シート裾部押え土
【図１】
0003149243.tif 000003
【図２】
0003149243.tif 000004